(57)【要約】【課題】券種の重複設定を回避するための操作の煩雑性を緩和する。【解決手段】紙幣を集積する第１の集積部と、紙幣を集積する第２の集積部と、前記第１の集積部に集積される紙幣の券種を設定するための第１の設定領域、および前記第２の集積部に集積される紙幣の券種を設定するための第２の設定領域を表示する表示部と、前記第１の設定領域および前記第２の設定領域への券種の設定のための操作が行われる操作部と、前記第２の設定領域に、前記第１の設定領域に設定済みの券種と重複する券種が入力されたことに基づき、前記第１の設定領域に設定済みの券種の削除を確認する削除メッセージを前記表示部に表示させる制御部と、を備える、紙幣処理装置。【選択図】図１
2018077743.tif 000002
【特許請求の範囲】
【請求項１】
紙幣を集積する第１の集積部と、
紙幣を集積する第２の集積部と、
前記第１の集積部に集積される紙幣の券種を設定するための第１の設定領域、および前記第２の集積部に集積される紙幣の券種を設定するための第２の設定領域を表示する表示部と、
前記第１の設定領域および前記第２の設定領域への券種の設定のための操作が行われる操作部と、
前記第２の設定領域に、前記第１の設定領域に設定済みの券種と重複する券種が入力されたことに基づき、前記第１の設定領域に設定済みの券種の削除を確認する削除メッセージを前記表示部に表示させる制御部と、
を備える、紙幣処理装置。
【請求項２】
前記第１の集積部は、前記紙幣処理装置の外部に露出する集積部であり、
前記第２の集積部は、前記紙幣処理装置の内部に位置する集積部である、請求項１に記載の紙幣処理装置。
【請求項３】
前記紙幣処理装置は、所定数の紙幣を施封する紙幣施封部をさらに備え、
前記紙幣施封部は、前記第２の集積部に集積された紙幣を施封し、前記第１の集積部に集積された紙幣を施封しない、請求項１または２に記載の紙幣処理装置。
【請求項４】
前記制御部は、前記第１の設定領域を含む第１の画面、および前記第２の設定領域を含む第２の画面を生成する、請求項１〜３のいずれか一項に記載の紙幣処理装置。
【請求項５】
前記制御部は、メイン画面をさらに生成し、前記第１の画面と前記第２の画面との間の遷移は、前記メイン画面を介して行われる、請求項４に記載の紙幣処理装置。
【請求項６】
前記制御部は、前記第１の設定領域および前記第２の設定領域の双方を含む画面を生成する、請求項１〜３のいずれか一項に記載の紙幣処理装置。
【請求項７】
前記制御部は、前記削除メッセージに対する確認操作に応じて、前記第１の設定領域に設定済みの券種を削除する、請求項１〜６のいずれか一項に記載の紙幣処理装置。
【請求項８】
前記制御部は、前記第１の設定領域を含む第１の画面において、前記第１の設定領域に設定済みの券種を削除する操作が行われたことに基づき、前記第１の設定領域に設定済みの券種を前記第２の集積部に集積される紙幣の券種として設定することの設定確認メッセージを前記表示部に表示させる、請求項７に記載の紙幣処理装置。
【請求項９】
前記紙幣処理装置は、複数の前記第２の集積部を備え、
前記制御部は、前記第２の設定領域において設定済みの券種が入力されたことに基づき、エラーメッセージを前記表示部に表示させる、請求項１〜８のいずれか一項に記載の紙幣処理装置。
【請求項１０】
前記紙幣処理装置は、複数の前記第１の集積部を備え、
前記制御部は、前記第１の設定領域において設定済みの券種が入力されたことに基づき、エラーメッセージを前記表示部に表示させる、請求項１〜９のいずれか一項に記載の紙幣処理装置。
【請求項１１】
前記制御部は、前記第１の設定領域に、前記第２の設定領域に設定済みの券種と重複する券種が入力されたことに基づき、エラーメッセージを前記表示部に表示させる、請求項１〜１０のいずれか一項に記載の紙幣処理装置。
【請求項１２】
前記紙幣の券種は、前記紙幣の金種、前記紙幣の正損、および前記紙幣の天地状態のうちの少なくともいずれかに対応する、請求項１〜１１のいずれか一項に記載の紙幣処理装置。
【発明の詳細な説明】
【技術分野】
【０００１】
本発明は、紙幣処理装置に関する。
【背景技術】
【０００２】
金融機関や店舗等において、紙幣を金種（例えば、一万円券、５千円券等）ごとに分類し、計数し、さらに、同じ金種の紙幣を所定数ごとに施封して、紙幣束を作成する紙幣処理装置が利用されている。
【０００３】
特許文献１には、紙幣束を作成する紙幣処理装置が開示されている。特許文献１に記載の紙幣処理装置は、紙幣を取り込む取込部と、取り込まれた紙幣の金種及び正損状態を鑑別する鑑別部と、紙幣を金種ごとに集積する複数の集積部と、集積部に集積された紙幣を所定枚数ごとに結束帯で施封して、紙幣束を作成する施封部と、紙幣を紙幣処理装置内の各所へ搬送する搬送部と、鑑別部での鑑別結果に基づいて、紙幣を各集積部へ搬送するように搬送部を制御する制御部と、を主に有する。また、紙幣処理装置は、施封処理の対象とならない紙幣の搬送先であるオープンポケットを有する。
【先行技術文献】
【特許文献】
【０００４】
【特許文献１】特開２００９−９３３８号公報
【発明の概要】
【発明が解決しようとする課題】
【０００５】
紙幣処理装置の操作者は、施封券種の設定画面において施封券種を設定し、オープンポケット券種の設定画面でオープンポケット券種を設定し得る。ここで、オープンポケット券種の設定画面で設定された券種と重複する券種が施封券種の設定画面で入力された場合、エラーメッセージが表示される。この場合、操作者は、メイン画面を介してオープンポケット券種の設定画面を表示部に表示させ、オープンポケット券種を削除した後、メイン画面を介して施封券種の設定画面を表示部に表示させることにより、重複を解消し得る。しかし、券種の重複を解消するための上記の操作は煩雑であるという問題があった。例えば、上記の券種の重複を解消するための操作は４回もの画面遷移を伴う。
【０００６】
そこで、本発明は、上記問題に鑑みてなされたものであり、本発明の目的とするところは、券種の重複設定を回避するための操作の煩雑性を緩和することが可能な、新規かつ改良された紙幣処理装置を提供することにある。
【課題を解決するための手段】
【０００７】
上記課題を解決するために、本発明のある観点によれば、紙幣を集積する第１の集積部と、紙幣を集積する第２の集積部と、前記第１の集積部に集積される紙幣の券種を設定するための第１の設定領域、および前記第２の集積部に集積される紙幣の券種を設定するための第２の設定領域を表示する表示部と、前記第１の設定領域および前記第２の設定領域への券種の設定のための操作が行われる操作部と、前記第２の設定領域に、前記第１の設定領域に設定済みの券種と重複する券種が入力されたことに基づき、前記第１の設定領域に設定済みの券種の削除を確認する削除メッセージを前記表示部に表示させる制御部と、を備える、紙幣処理装置が提供される。
【０００８】
前記第１の集積部は、前記紙幣処理装置の外部に露出する集積部であり、前記第２の集積部は、前記紙幣処理装置の内部に位置する集積部であってもよい。
【０００９】
前記紙幣処理装置は、所定数の紙幣を施封する紙幣施封部をさらに備え、前記紙幣施封部は、前記第２の集積部に集積された紙幣を施封し、前記第１の集積部に集積された紙幣を施封しなくてもよい。
【００１０】
前記制御部は、前記第１の設定領域を含む第１の画面、および前記第２の設定領域を含む第２の画面を生成してもよい。
【００１１】
前記制御部は、メイン画面をさらに生成し、前記第１の画面と前記第２の画面との間の遷移は、前記メイン画面を介して行われてもよい。
【００１２】
前記制御部は、前記第１の設定領域および前記第２の設定領域の双方を含む画面を生成してもよい。
【００１３】
前記制御部は、前記削除メッセージに対する確認操作に応じて、前記第１の設定領域に設定済みの券種を削除してもよい。
【００１４】
前記制御部は、前記第１の設定領域を含む第１の画面において、前記第１の設定領域に設定済みの券種を削除する操作が行われたことに基づき、前記第１の設定領域に設定済みの券種を前記第２の集積部に集積される紙幣の券種として設定することの設定確認メッセージを前記表示部に表示させてもよい。
【００１５】
前記紙幣処理装置は、複数の前記第２の集積部を備え、前記制御部は、前記第２の設定領域において設定済みの券種が入力されたことに基づき、エラーメッセージを前記表示部に表示させてもよい。
【００１６】
前記紙幣処理装置は、複数の前記第１の集積部を備え、前記制御部は、前記第１の設定領域において設定済みの券種が入力されたことに基づき、エラーメッセージを前記表示部に表示させてもよい。
【００１７】
前記制御部は、前記第１の設定領域に、前記第２の設定領域に設定済みの券種と重複する券種が入力されたことに基づき、エラーメッセージを前記表示部に表示させてもよい。
【００１８】
前記紙幣の券種は、前記紙幣の金種、前記紙幣の正損、および前記紙幣の天地状態のうちの少なくともいずれかに対応してもよい。
【発明の効果】
【００１９】
以上説明したように本発明によれば、券種の重複設定を回避するための操作の煩雑性を緩和することが可能である。
【図面の簡単な説明】
【００２０】
【図１】本発明の実施形態による紙幣処理装置の内部構成を示す説明図である。
【図２】メイン画面の具体例を示す説明図である。
【図３】施封券種設定画面の具体例を示す説明図である。
【図４】オープンポケット券種設定画面の具体例を示す説明図である。
【図５】施封券種間での重複の具体例を示す説明図である。
【図６】オープンポケット券種間での重複の具体例を示す説明図である。
【図７】施封券種とオープンポケット券種の重複の具体例を示す説明図である。
【図８】施封券種設定画面に関する紙幣処理装置の動作を示すフローチャートである。
【図９】オープンポケット券種設定画面に関する紙幣処理装置の動作を示すフローチャートである。
【図１０】第１の変形例による設定確認メッセージの具体例を示す説明図である。
【図１１】第１の変形例によるオープンポケット券種設定画面に関する紙幣処理装置１０の動作を整理したフローチャートである。
【図１２】第２の変形例による削除メッセージを示す説明図である。
【図１３】第３の変形例による設定画面の構成を示す説明図である。
【発明を実施するための形態】
【００２１】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２２】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２３】
＜１．紙幣処理装置の構成＞
本発明の実施形態による紙幣処理装置は、操作者により投入された紙幣を整理するための装置であり、詳細には、投入された紙幣を鑑別し、計数し、得られた鑑別結果に応じた搬送先で紙幣を集積し、集積された紙幣を所定の枚数ごとに施封する。このような本発明の実施形態による紙幣処理装置の構成について図１を参照して具体的に説明する。
【００２４】
図１は、本発明の実施形態による紙幣処理装置１０の内部構成を示す説明図である。図１に示したように、本発明の実施形態による紙幣処理装置１０は、取込部１００、鑑別部１０２、表裏反転部１０８、移送部１１２、紙幣施封部１１４、操作表示部１１６、記憶部１１８、制御部１２０、搬送部１２４、及び外部インターフェース部１２８を備える。また、紙幣処理装置１０は、紙幣を集積する集積部として、リジェクトポケット１０４、オープンポケット１０６および施封用集積部１１０Ａ〜１１０Ｅを備える。
【００２５】
取込部１００は、操作者によって投入された複数の紙幣を取り込む部位である。取込部１００は、図１に示したように、ローラ１５０と、紙幣を収納する収納空間１５４と、収納空間１５４からローラ１５０へ紙幣をガイドするガイド１５６と、紙幣をガイド１５６に押し当てるためのビルプレス１５８とを含む。収納空間１５４に投入された紙幣は、ビルプレス１５８によってガイド１５６に押し当てられ、ガイド１５６によってローラ１５０へ押し出され、ローラ１５０が回転することによって、搬送部１２４に一枚ずつ繰り出される。なお、取込部１００は、ビルプレス１５８の移動量を検知するセンサ（図示省略）等を有することによって、紙幣処理装置１０に投入された全ての紙幣処理の完了（計数完了）を検知することができるように構成される。
【００２６】
鑑別部１０２は、取込部１００から取り込まれた紙幣の鑑別を行う。例えば、鑑別部１０２は、紙幣の真偽、金種などの紙幣の種類、紙幣の正損状態、紙幣の破れの有無、鑑別時における紙幣の表裏の向きなどを鑑別する。紙幣は、当該鑑別部１０２による鑑別の結果に応じた搬送先に搬送される。なお、紙幣の正損状態の鑑別は、紙幣が正券であるか損券であるかの鑑別である。損券は、汚れの程度が所定基準を上回る紙幣であり、正券は汚れの程度が所定基準以下である紙幣であってもよい。
【００２７】
リジェクトポケット１０４は、鑑別部１０２により、偽券、金種不明または破れがあると鑑別されたリジェクト紙幣を集積するリジェクト部である。
【００２８】
オープンポケット１０６は、施封対象外の紙幣を集積する第１の集積部の一例である。オープンポケット１０６は、図１に示したように、装置の外部に露出する位置に設けられる。このオープンポケット１０６に搬送される紙幣の券種であるオープンポケット券種は事前に設定される。鑑別部１０２による紙幣の鑑別結果としてオープンポケット券種が得られた場合、当該紙幣はオープンポケット１０６に搬送される。なお、図１に示したように２つのオープンポケット１０６が設けられる場合、２つのオープンポケット１０６の各々に異なるオープンポケット券種が設定されてもよい。なお、紙幣の券種は、紙幣の金種、紙幣の正損、および紙幣の天地状態のうちの少なくともいずれかに対応する。
【００２９】
表裏反転部１０８は、紙幣の表裏状態を統一するために、所定の表裏状態を有する紙幣を反転させる。
【００３０】
施封用集積部１１０は、施封対象に該当すると鑑別部１０２により鑑別された紙幣を集積する第２の集積部の一例である。施封用集積部１１０は、図１に示したように紙幣処理装置１０の内部に設けられる。この施封用集積部１１０に搬送される紙幣の券種である施封券種は事前に設定される。例えば、施封用集積部１１０Ａには施封券種として正券の一万円札が設定され、施封用集積部１１０Ａは正券の一万円札を集積する。また、施封用集積部１１０Ｂには施封券種として損券の一万円札が設定され、施封用集積部１１０Ｂは損券の一万円札を集積し得る。
【００３１】
移送部１１２は、各施封用集積部１１０に集積された紙幣を紙幣施封部１１４へ移送する。具体的には、いずれかの施封用集積部１１０に集積されている紙幣の枚数が所定の施封枚数に達すると、移送部１１２は、当該施封用集積部１１０から施封枚数の紙幣を紙幣施封部１１４へ移送する。なお、移送部１１２は、紙幣処理装置１０の内部を昇降することにより施封用集積部１１０と紙幣施封部１１４との間で紙幣の移送を行う。
【００３２】
紙幣施封部１１４は、移送部１１２から移送された施封枚数の紙幣に対して例えばテープを巻き付けて施封することにより、紙幣束を作成する。なお、作成された紙幣束は、放出口（図示省略）へ搬送され、紙幣処理装置１０外へ放出される。
【００３３】
操作表示部１１６は、各種画面を表示する表示部、及び操作者の操作を検出する操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。操作表示部１１６は、後述する制御部１２０の制御に従って、各種の操作画面、計数結果やエラーメッセージなどを表示し、操作者による紙幣処理装置１０に対する各種の入力操作を受け付け、制御部１２０に伝達する。なお、操作表示部１１６の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよい。
【００３４】
記憶部１１８は、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）などにより構成される。記憶部１１８は、例えば、制御プログラムや鑑別部１０２による鑑別の際に用いられる情報が格納されるほか、鑑別部１０２による鑑別結果、計数結果および鑑別された紙幣に関する取引状況が対応づけて記憶される。具体的には、記憶部１１８に記憶される鑑別結果としては、紙幣の種別（金種）、紙幣の正損、紙幣の表裏、搬送先等が挙げられる。ここで、表裏とは、鑑別時における該当の紙幣の表裏の向きのことであり、搬送先とは、該当の紙幣が搬送される格納先のことである。
【００３５】
制御部１２０は、ＣＰＵ（Ｃｅｎｔｒａｌ  Ｐｒｏｃｅｓｓｉｎｇ  Ｕｎｉｔ）を中心に構成されており、計数処理等の種々の処理のための制御を行うことができる。詳細には、制御部１２０は、操作表示部１１６からの入力や外部インターフェース部１２８が受け入れた外部装置からの情報に基づき、記憶部１１８から所定のプログラムを読み出して実行することにより、紙幣処理装置１０の動作全般を制御することができる。また、制御部１２０は、鑑別部１０２による紙幣の鑑別結果に基づいて、紙幣の搬送先を決定する。
【００３６】
搬送部１２４は、紙幣の移動経路を形成する搬送路、紙幣を搬送するローラ、および当該ローラを駆動するモータからなる。取込部１００から取り込まれた紙幣は、搬送部１２４により、リジェクトポケット１０４、オープンポケット１０６または施封用集積部１１０に搬送される。
【００３７】
＜２．基本動作＞
以上、本発明の実施形態による紙幣処理装置１０の構成を説明した。続いて、本発明の実施形態による紙幣処理装置１０の基本動作を説明する。
【００３８】
まず、操作者が操作表示部１１６を操作することにより、施封券種およびオープンポケット券種を設定する。そして、操作者が取込部１００に紙幣を投入し、操作者が操作表示部１１６に対して整理処理を指示する操作を行うことにより、整理処理が開始される。
【００３９】
整理処理においては、取込部１００が紙幣の取り込みを連続的に行い、鑑別部１０２が、取込部１００から取り込まれた紙幣の鑑別を行い、鑑別結果を制御部１２０へ通知する。制御部１２０は、通知される鑑別結果に基づき、紙幣の搬送先となる集積部を搬送部１２４に指示する。搬送部１２４は、制御部１２０からの制御に従った集積部へ紙幣を搬送する。
【００４０】
さらに、いずれかの施封用集積部１１０に搬送されて集積された紙幣の枚数が施封枚数に達した場合、移送部１１２が当該施封用集積部１１０から施封枚数の紙幣を紙幣施封部１１４へ移送する。そして、紙幣施封部１１４が、移送部１１２から移送された施封枚数の紙幣に対して例えばテープを巻き付けて結束することにより、紙幣束を作成する。
【００４１】
その後、施封用集積部１１０に紙幣が集積されている状態で操作者により整理処理の完了操作が行われると、記憶部１１８は、各施封用集積部１１０に集積されている紙幣枚数を端数として記憶する。
【００４２】
＜３．券種設定方法＞
続いて、施封券種およびオープンポケット券種の設定方法について説明する。
【００４３】
制御部１２０は、メイン画面を生成し、当該メイン画面への操作に基づき、施封券種設定画面またはオープンポケット券種設定画面を生成する。操作者は、施封券種設定画面において施封券種を設定し、オープンポケット券種設定画面においてオープンポケット券種を設定することが可能である。以下、メイン画面、施封券種設定画面およびオープンポケット券種設定画面の各々について、図２〜図４を参照して説明する。
【００４４】
（メイン画面）
図２は、メイン画面５０の具体例を示す説明図である。図２に示したように、メイン画面５０は、処理モード選択領域５１および５２、施封券種選択ボタン５４、オープンポケット券種選択ボタン５６、確認ボタン５８および取消ボタン５９を含む。
【００４５】
処理モード選択領域５１および５２は、紙幣処理装置１０の処理モードを選択するための領域である。図２には、処理モードとして、入金モード、整理モード、計数モードおよび施封モードが示されている。いずれの処理モードが選択された場合であっても、施封券種として設定された券種の紙幣が施封用集積部１１０に搬送され、オープンポケット券種として設定された券種の紙幣がオープンポケット１０６に搬送される。
【００４６】
施封券種選択ボタン５４は、施封券種の設定のために選択されるボタンであり、制御部１２０は、施封券種選択ボタン５４の選択に基づいて、施封券種設定画面を生成する。オープンポケット券種選択ボタン５６は、オープンポケット券種の設定のために選択されるボタンであり、制御部１２０は、オープンポケット券種選択ボタン５６の選択に基づいて、オープンポケット券種設定画面を生成する。
【００４７】
確認ボタン５８は、設定条件を確認するためのボタンであり、紙幣処理装置１０は、確認ボタン５８が選択されると、設定されている条件で紙幣の処理を開始する。取消ボタン５９は、メイン画面５０での操作を取消すためのボタンであり、制御部１２０は、取消ボタン５９が選択されると、前画面（例えば、ログイン画面）を生成してもよい。
【００４８】
（施封券種設定画面）
図３は、施封券種設定画面６０の具体例を示す説明図である。施封券種設定画面６０は、図３に示したように、施封券種設定領域６２、設定状況表示領域６４、確認ボタン６６および全削除ボタン６８を含む。
【００４９】
施封券種設定領域６２（第２の設定領域）は、施封券種を設定するための選択ボタンを含む。例えば、施封券種設定領域６２は、図３に示したように、旧券または現行券を選択するためのボタン、正券、損券または指定券（正券および損券を含む。）を選択するためのボタン、および金種を選択するためのボタンを含む。
【００５０】
設定状況表示領域６４は、施封券種設定領域６２への操作により設定された施封券種を表示する。図３に示した設定状況表示領域６４は、正券の一万円札（万（正券））および損券の一万円札（万（損券））が施封券種として設定されていることを示す。なお、設定状況表示領域６４に含まれる削除ボタンにより、各施封券種の設定を削除することも可能である。
【００５１】
確認ボタン６６は、施封券種の設定を確認するためのボタンであり、制御部１２０は、確認ボタン６６の選択に基づいて、施封券種の設定を記憶し、メイン画面５０を生成する。全削除ボタン６８は、全ての施封券種を削除するためのボタンである。
【００５２】
（オープンポケット券種設定画面）
図４は、オープンポケット券種設定画面７０の具体例を示す説明図である。図４に示したように、オープンポケット券種設定領域７２および７４、および確認ボタン７６を含む。
【００５３】
オープンポケット券種設定領域７２および７４は、オープンポケット券種を設定するための選択ボタンを含む。例えば、オープンポケット券種設定領域７２および７４は、図４に示したように、旧券または現行券を選択するためのボタン、正券、損券または指定券（正券および損券を含む。）を選択するためのボタン、および金種を選択するためのボタンを含む。なお、図４に示した例では、一方のオープンポケット１０６についてのオープンポケット券種として、損券の千円札が設定されている。
【００５４】
確認ボタン７６は、オープンポケット券種の設定を確認するためのボタンであり、制御部１２０は、確認ボタン７６の選択に基づいて、オープンポケット券種の設定を記憶し、メイン画面５０を生成する。
【００５５】
＜４．券種の重複が生じた場合の処理＞
以上、施封券種およびオープンポケット券種の設定方法を説明した。上述した設定方法においては、券種の重複が生じる場合がある。例えば、既に設定されている施封券種と重複する券種が施封券種として選択（入力）されたり、既に設定されているオープンポケット券種と重複する券種が施封券種として選択されたりする場合がある。以下、このような重複が生じた場合の処理について、図５〜図７を参照して説明する。
【００５６】
なお、券種が重複するとは、２つの券種のいずれにも属する紙幣が存在することを意味する。例えば、損券の千円札である第１の券種と、指定券の千円札である第２の券種とでは、損券の千円札が第１の券種と第２の券種の双方に属するので、第１の券種と第２の券種は重複する。一方、指定券の一万円札である第３の券種と、指定券の五千円札である第４の券種とでは、双方の券種に属する紙幣が存在しないので、第３の券種と第４の券種は重複しない。
【００５７】
（施封券種間での重複）
施封券種設定画面６０において、既に設定済みの施封券種と重複する券種が選択された場合、制御部１２０は、エラーメッセージを施封券種設定画面６０に表示する。以下、図５を参照して具体例を説明する。
【００５８】
図５は、施封券種間での重複の具体例を示す説明図である。図５に示したように、既に正券の一万円札（万（正券））および損券の一万円札（万（損券））が施封券種として設定されている状態において、施封券種設定領域６２で正券の一万円札が選択されると、施封券種の重複が生じる。
【００５９】
このため、制御部１２０は、例えば「施封券種が重複します。設定できません。」というエラーメッセージ６９を施封券種設定画面６０に表示する。この場合、新たな施封券種は設定されず、既に設定済みの施封券種に変更は生じない。操作者は、当該エラーメッセージ６９に基づき施封券種の重複に気付き、施封券種設定領域６２での券種の選択を再試行し得る。
【００６０】
（オープンポケット券種間での重複）
オープンポケット券種設定画面７０において、既に設定済みのオープンポケット券種と重複する券種が選択された場合、制御部１２０は、エラーメッセージをオープンポケット券種設定画面７０に表示する。以下、図６を参照して具体例を説明する。
【００６１】
図６は、オープンポケット券種間での重複の具体例を示す説明図である。図６に示したように、オープンポケット券種設定領域７２において既に損券の千円札が設定されている状態において、オープンポケット券種設定領域７４で指定券の千円札が選択されると、オープンポケット券種の重複が生じる。
【００６２】
このため、制御部１２０は、例えば「オープンポケットで券種が重複します。設定できません。」というエラーメッセージ７８をオープンポケット券種設定画面７０に表示する。この場合、新たなオープンポケット券種は設定されず、既に設定済みのオープンポケット券種に変更は生じない。操作者は、当該エラーメッセージ７８に基づきオープンポケット券種の重複に気付き、オープンポケット券種設定領域７４での券種の選択を再試行し得る。
【００６３】
（施封券種とオープンポケット券種の重複）
施封券種設定画面６０において、既に設定済みのオープンポケット券種と重複する券種が選択された場合、制御部１２０は、重複するオープンポケット券種を削除することを確認する削除メッセージを施封券種設定画面６０に表示する。以下、図７を参照して具体例を説明する。
【００６４】
図７は、施封券種とオープンポケット券種の重複の具体例を示す説明図である。オープンポケット券種として既に損券の千円札が設定されている状態において、図７に示したように施封券種設定領域６２で損券の千円札が選択されると、施封券種とオープンポケット券種の間に重複が生じる。
【００６５】
この場合、制御部１２０は、図７に示したように、例えば「オープンポケット券種と重複します。オープンポケット券種を全て削除しますか？」、「はい」ボタン８２、および「いいえ」ボタン８４を含む削除メッセージ８０を施封券種設定画面６０に表示する。
【００６６】
上記削除メッセージ８０において「はい」ボタン８２が操作者により選択されると、制御部１２０は、オープンポケット券種として設定されている損券の千円札を削除し、かつ、施封券種設定領域６２で選択された損券の千円札を施封券種として設定する。一方、上記削除メッセージ８０において「いいえ」ボタン８４が操作者により選択された場合、制御部１２０は、オープンポケット券種および施封券種の設定を維持する。
【００６７】
かかる構成によれば、施封券種とオープンポケット券種の間の重複を簡易な操作で回避することが可能である。例えば、削除メッセージ８０でなく単にエラーメッセージが表示されるだけの場合、操作者は、オープンポケット券種設定画面７０においてオープンポケット券種を削除した後に、施封券種設定画面６０において施封券種を設定する。しかし、そのためには、施封券種設定画面６０、メイン画面５０、オープンポケット券種設定画面７０、メイン画面５０、施封券種設定画面６０、という順序で多くの画面遷移が必要となり、操作が煩雑である。
【００６８】
これに対し、削除メッセージ８０を用いる本実施形態によれば、施封券種設定画面６０において施封券種とオープンポケット券種の間に重複が生じても、施封券種設定画面６０において上記の重複を回避して施封券種を設定することができる。したがって、本実施形態によれば、施封券種とオープンポケット券種の間の重複を回避するための操作の煩雑性を大幅に緩和することが可能である。なお、メイン画面５０を介さずに施封券種設定画面６０とオープンポケット券種設定画面７０の間での遷移が可能であってもよく、この場合であっても、削除メッセージ８０を用いる本実施形態によれば画面遷移の数および操作の煩雑性を緩和することが可能である。
【００６９】
＜５．動作＞
以上、本実施形態による紙幣処理装置１０の構成および処理を説明した。続いて、図８および図９を参照して、本実施形態による紙幣処理装置１０の動作を整理する。
【００７０】
図８は、施封券種設定画面６０に関する紙幣処理装置１０の動作を示すフローチャートである。図８に示したように、施封券種設定画面６０において新たな券種が入力（選択）されると（Ｓ３０４）、制御部１２０は、新たな券種が設定済みの他の施封券種と重複するか否かを判断する（Ｓ３０８）。
【００７１】
新たな券種が設定済みの他の施封券種と重複する場合（Ｓ３０８／ｙｅｓ）、制御部１２０は、図５を参照して説明したエラーメッセージ６９を施封券種設定画面６０に表示する（Ｓ３１２）。一方、新たな券種が設定済みの他の施封券種と重複しない場合、制御部１２０は（Ｓ３０８／ｎｏ）、新たな券種が設定済みの他のオープンポケット券種（ＯＰ券種）と重複するか否かを判断する（Ｓ３１６）。
【００７２】
新たな券種が設定済みの他のオープンポケット券種と重複しない場合（Ｓ３１６／ｎｏ）、制御部１２０は、新たな券種を施封券種として設定する（Ｓ３３２）。一方、新たな券種が設定済みの他のオープンポケット券種と重複する場合（Ｓ３１６／ｙｅｓ）、制御部１２０は、図７を参照して説明した削除メッセージ８０を施封券種設定画面６０に表示する（Ｓ３２０）。
【００７３】
削除メッセージ８０において、削除操作が行われた場合、すなわち、「はい」ボタン８２が選択された場合（Ｓ３２４／ｙｅｓ）、制御部１２０は、オープンポケット券種を削除し（Ｓ３２８）、新たな券種を施封券種として設定する（Ｓ３３２）。一方、削除メッセージ８０において、削除操作が行われなかった場合、すなわち、「いいえ」ボタンが選択された場合（Ｓ３２４／ｎｏ）、制御部１２０は、オープンポケット券種および施封券種の設定を維持する。
【００７４】
図９は、オープンポケット券種設定画面７０に関する紙幣処理装置１０の動作を示すフローチャートである。図９に示したように、オープンポケット券種設定画面７０において新たな券種が入力（選択）されると（Ｓ４０４）、制御部１２０は、新たな券種が設定済みの他のオープンポケット券種と重複するか否かを判断する（Ｓ４０８）。
【００７５】
新たな券種が設定済みの他のオープンポケット券種と重複する場合（Ｓ４０８／ｙｅｓ）、制御部１２０は、図６を参照して説明したエラーメッセージ７８をオープンポケット券種設定画面７０に表示する（Ｓ４１２）。一方、新たな券種が設定済みの他のオープンポケット券種と重複しない場合、制御部１２０は（Ｓ４０８／ｎｏ）、新たな券種が設定済みの他の施封券種と重複するか否かを判断する（Ｓ４１６）。
【００７６】
新たな券種が設定済みの他の施封券種と重複しない場合（Ｓ４１６／ｎｏ）、制御部１２０は、新たな券種をオープンポケット券種として設定する（Ｓ４２０）。一方、新たな券種が設定済みの他の施封券種と重複する場合（Ｓ４１６／ｙｅｓ）、制御部１２０はエラーメッセージをオープンポケット券種設定画面７０に表示する（Ｓ４１２）。
【００７７】
なお、新たな券種が設定済みの他の施封券種と重複する場合（Ｓ４１６／ｙｅｓ）、制御部１２０は、施封券種設定画面６０に表示される削除メッセージ８０と同様に、重複する施封券種を削除して新たな券種をオープンポケット券種として設定することを確認するメッセージをオープンポケット券種設定画面７０に表示してもよい。かかる構成によれば、施封券種設定画面６０において施封券種を削除してからオープンポケット券種設定画面７０において再度券種を入力する手間が不要となるので、操作者の利便性を向上することが可能である。
【００７８】
＜６．変形例＞
以上、本発明の実施形態を説明した。以下では、本発明の実施形態の幾つかの変形例を説明する。なお、以下に説明する各変形例は、単独で本発明の実施形態に適用されてもよいし、組み合わせで本発明の実施形態に適用されてもよい。また、各変形例は、本発明の実施形態で説明した構成に代えて適用されてもよいし、本発明の実施形態で説明した構成に対して追加的に適用されてもよい。
【００７９】
（第１の変形例）
第１の変形例は、オープンポケット券種設定画面７０における券種の削除と施封券種の設定を連動させる仕組みの提案に関する。第１の変形例による制御部１２０は、オープンポケット券種設定画面７０において、オープンポケット券種を削除する操作が行われた場合、削除された券種を施封券種に設定することを確認する設定確認メッセージをオープンポケット券種設定画面７０に表示する。以下、図１０を参照して具体例を説明する。
【００８０】
図１０は、設定確認メッセージの具体例を示す説明図である。図１０に示したように、オープンポケット券種設定領域７２において損券の千円札が設定されている状態において、削除ボタン７３が選択されると、損券の千円札をオープンポケット券種から削除し、制御部１２０は設定確認メッセージ９０をオープンポケット券種設定画面７０に表示する。
【００８１】
設定確認メッセージ９０は、「削除した券種を施封券種に設定しますか？」、「はい」ボタン９２、および「いいえ」ボタン９４を含む。「はい」ボタン９２が操作者により選択されると、制御部１２０は、オープンポケット券種設定領域７２において選択されている損券の千円札を施封券種として設定する。
【００８２】
図１１は、第１の変形例によるオープンポケット券種設定画面７０に関する紙幣処理装置１０の動作を整理したフローチャートである。図１１に示したように、オープンポケット券種設定画面７０において設定済みのオープンポケット券種の削除操作があった場合（Ｓ５０４／ｙｅｓ）、制御部１２０は、オープンポケット券種の設定を削除する（Ｓ５０８）。さらに、制御部１２０は、図１０を参照して説明した設定確認メッセージ９０をオープンポケット券種設定画面７０に表示する（Ｓ５１２）。
【００８３】
設定確認メッセージ９０において設定操作が行われた場合、すなわち「はい」ボタン９２が操作者により選択された場合（Ｓ５１６／ｙｅｓ）、制御部１２０は、Ｓ５０８で削除されたオープンポケット券種を施封券種として設定する（Ｓ５２０）。
【００８４】
以上説明したように、第１の変形例によれば、オープンポケット券種設定画面７０から画面遷移を経ることなく、施封券種を設定することができる。従って、オープンポケット券種を削除してから施封券種を設定するための操作の煩雑性を大幅に緩和することが可能である。
【００８５】
（第２の変形例）
上記の実施形態においては、施封券種とオープンポケット券種の間の重複が生じた場合に、オープンポケット券種を削除することを確認する削除メッセージ８０が表示される例を説明した。第２の変形例として、制御部１２０は、施封券種設定画面６０において施封券種とオープンポケット券種の間の重複が生じた場合、削除メッセージ８０の表示および操作者による削除操作無しに、オープンポケット券種を削除し、施封券種を設定してもよい。
【００８６】
この場合、オープンポケット券種が削除されたことを操作者に知らせるために、制御部１２０は、オープンポケット券種が削除されたことを示すメッセージを施封券種設定画面６０において表示する。例えば、制御部１２０は、図１２に示すように、「オープンポケット券種と重複しますので、オープンポケット券種を全て削除して、施封券種を設定しました。」というメッセージ８６（削除メッセージの一例）を表示してもよい。かかる構成によれば、操作者の削除操作も無しにオープンポケット券種の削除および施封券種の設定を実現できるので、操作の煩雑性が一層緩和される。
【００８７】
（第３の変形例）
上記の実施形態では、施封券種設定領域６２およびオープンポケット券種設定領域７２が異なる画面に配置される例を説明した。第３の変形例は、施封券種設定領域６２およびオープンポケット券種設定領域７２の他の配置の提案に関する。
【００８８】
図１３は、第３の変形例による設定画面３０の構成を示す説明図である。図１３に示したように、第３の変形例による設定画面３０は、施封券種設定領域３２および３３、オープンポケット券種設定領域３６および３７、および確認ボタン３８を有する。
【００８９】
当該設定画面３０において、既に設定済みのオープンポケット券種と重複する券種が施封券種設定領域３２または３３において選択された場合、制御部１２０は、上述した実施形態と同様に削除メッセージ８０を設定画面３０に表示する。
【００９０】
このような設定画面３０においては、画面遷移を伴わずにオープンポケット券種および施封券種の双方を設定することが可能である。しかし、このような設定画面であっても、施封券種とオープンポケット券種の重複が生じた場合には削除メッセージ８０を設定画面３０に表示することにより、操作の煩雑性を緩和することができる。すなわち、他の方法では、オープンポケット券種を削除する操作、および施封券種を再度選択する操作により重複が回避され得るが、削除メッセージ８０を用いた方法では「はい」ボタン８２の選択というより簡易な操作で重複を回避することが可能である。
【００９１】
＜７．むすび＞
以上説明したように、本発明の実施形態によれば、施封券種設定画面６０において施封券種とオープンポケット券種の間に重複が生じても、施封券種設定画面６０において上記の重複を回避して施封券種を設定することができる。したがって、本実施形態によれば、施封券種とオープンポケット券種の間に重複を回避するための操作の煩雑性を大幅に緩和することが可能である。
【００９２】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９３】
例えば、本明細書の紙幣処理装置１０の処理における各ステップは、必ずしもフローチャートとして記載された順序に沿って時系列に処理する必要はない。例えば、紙幣処理装置１０の処理における各ステップは、フローチャートとして記載した順序と異なる順序で処理されても、並列的に処理されてもよい。
【００９４】
また、紙幣処理装置１０に内蔵されるＣＰＵ、ＲＯＭおよびＲＡＭなどのハードウェアに、上述した紙幣処理装置１０の各構成と同等の機能を発揮させるためのコンピュータプログラムも作成可能である。また、該コンピュータプログラムを記憶させた記憶媒体も提供される。
【符号の説明】
【００９５】
１０  紙幣処理装置
１００  取込部
１０２  鑑別部
１０４  リジェクトポケット
１０６  オープンポケット
１０８  表裏反転部
１１０  施封用集積部
１１２  移送部
１１４  紙幣施封部
１１６  操作表示部
１１８  記憶部
１２０  制御部
１２４  搬送部
１２８  外部インターフェース部
１５０  ローラ
１５４  収納空間
１５６  ガイド
１５８  ビルプレス
【図１】
2018077743.tif 000003
【図２】
2018077743.tif 000004
【図３】
2018077743.tif 000005
【図４】
2018077743.tif 000006
【図５】
2018077743.tif 000007
【図６】
2018077743.tif 000008
【図７】
2018077743.tif 000009
【図８】
2018077743.tif 000010
【図９】
2018077743.tif 000011
【図１０】
2018077743.tif 000012
【図１１】
2018077743.tif 000013
【図１２】
2018077743.tif 000014
【図１３】
2018077743.tif 000015